(57)【要約】【課題】番組情報に視聴者情報を授受し、視聴者間で視聴者情報の共有化を高め、放送番組の選択を容易化する。【解決手段】テレビジョン受信機等の放送番組を受信する機能を備える電子装置（ＴＶ装置４）であって、サーバ装置（６）から提供された視聴者情報を受信し、この視聴者情報を電子番組情報に付加して表示することにより、番組情報と視聴者情報とを同時に閲覧でき、放送番組の視聴や録画の選択を容易にし、かつ、その番組選択の最適化を実現している。【選択図】図１
2007274604.tif 000002
【特許請求の範囲】
【請求項１】
テレビジョン放送を視聴又は記録する機能を備える電子装置であって、
番組情報に付加された視聴者情報を受信する受信部と、
この受信部で受信した前記視聴者情報を表示する表示部と、
を備えることを特徴とする電子装置。
【請求項２】
請求項１の電子装置において、
前記表示部に表示される電子番組情報に視聴者から提供された前記視聴者情報を付加して表示する処理をする処理部を備えることを特徴とする電子装置。
【請求項３】
請求項１の電子装置において、
前記番組情報に関する視聴者情報を提供するユーザから前記視聴者情報に関係付けられたユーザを選択し、友人情報を生成させる処理部を備えることを特徴とする電子装置。
【請求項４】
請求項１の電子装置において、
前記番組情報に付加すべき視聴者情報を送信する送信部を備えることを特徴とする電子装置。
【請求項５】
請求項１の電子装置において、
受信した電子番組情報を記憶する電子番組情報記憶部と、
受信した前記視聴者情報を記憶する視聴者情報記憶部と、
を備えることを特徴とする電子装置。
【請求項６】
請求項１の電子装置において、
前記視聴者情報は、放送番組の出演者、番組名、番組ジャンル、視聴者のコメント、放送番組に関する視聴者情報を提供したユーザ、ユーザ数の１又は複数を含むことを特徴とする電子装置。
【請求項７】
請求項１の電子装置において、
前記視聴者情報は、放送番組の出演者、番組名又は番組ジャンルを特定するタグ情報を含むことを特徴とする電子装置。
【請求項８】
テレビジョン放送を視聴又は記録する機能を備える電子装置の情報閲覧方法であって、
番組情報に付加された視聴者情報を受信するステップと、
受信した前記視聴者情報を表示するステップと、
を含むことを特徴とする、電子装置の情報閲覧方法。
【請求項９】
請求項８の電子装置の情報閲覧方法において、
電子番組情報に視聴者から提供された前記視聴者情報を付加して表示するステップを含むことを特徴とする、電子装置の情報閲覧方法。
【請求項１０】
コンピュータによって実行され、テレビジョン放送を視聴又は記録する機能を備える、電子装置の情報閲覧プログラムであって、
番組情報に付加された視聴者情報を受信するステップと、
受信した前記視聴者情報を表示するステップと、
を含むことを特徴とする、電子装置の情報閲覧プログラム。
【発明の詳細な説明】
【技術分野】
【０００１】
本発明は、視聴者からサーバ装置を通して提供される放送番組に関する視聴者情報の共有化に関し、特に、放送番組に関する視聴者情報を収集するサーバ装置に対してクライアント装置を構成するとともに、テレビジョン（以下「ＴＶ」という。）放送等の放送受信機能を備えるとともに、放送番組に関する視聴者情報の送受及び集計処理が行えるＴＶ受信装置等の電子装置、その情報閲覧方法及び情報閲覧プログラムに関する。
【背景技術】
【０００２】
ＴＶ受信装置、ＤＶＤ（Digital Versatile Disk）／ＨＤＤ（Hard Disk Drive ）レコーダ等の録画装置、ＴＶ受像機能を持つパーソナルコンピュータ（ＰＣ）等の電子装置では、電子番組表機能（ＥＰＧ：Electronic Program Guide）が付加され、このＥＰＧ機能によれば、放送番組の選定、放送番組の紹介、録画予約等が可能である。
【０００３】
そこで、放送番組の選定や選定情報の提供等に関し、特許文献１には、視聴者からのアップロードされた情報に基づき、視聴者数、視聴率、予約録画数、好感度等を表す統計データを求め、この統計データを番組案内データに重畳させたＥＰＧページが作成されることが開示されている。特許文献２には、視聴者端末からチャンネル情報を取得して視聴者数を計数し、番組毎の視聴者の発言数を計数し、発言数と視聴者数を基準とした番組の評価を視聴者端末に表示させることが開示されている。特許文献３には、番組情報に含まれる項目を評価項目とし、視聴された番組の番組情報に含まれる評価項目の累積加算数と、放送された番組の番組情報に含まれる評価項目の累積加算数との比に基づいて評価項目の必要度を算出し、番組情報に含まれる各評価項目の必要度を加算して番組情報が示すユーザ嗜好度を定量的に算出することが開示されている。
【特許文献１】特開２００４−１２８７９５号公報（段落番号００５８、００６１及び図１０等）
【特許文献２】特開２００２−２９０９９６号公報（段落番号００２１〜００２９及び図２等）
【特許文献３】特開２０００−５９７４５号公報（段落番号００３２〜００３５及び図１等）
【発明の開示】
【発明が解決しようとする課題】
【０００４】
ところで、放送番組の視聴や録画に関し、視聴者間の人気度、放送番組に対する興味の一致等は貴重な選択情報となるが、番組の視聴や録画する手間の他に番組を紹介する手間等を要するものでは、視聴者からの情報提供量が少ない場合に、実用性に乏しいものである。
【０００５】
また、視聴率調査やＨＤＤ／ＤＶＤレコーダの番組アクセス調査が知られているが、日本全国の視聴者を一括して処理するものでは、視聴者個人の嗜好の反映が乏しく、人間関係を加味することができない。
【０００６】
また、ＥＰＧを活用したＨＤＤ／ＤＶＤレコーダの番組お薦めと自動録画機能では、提供されるデータと装置の利用者の行動のみに基づくため、人間関係に基づいた調査や報告ができないという問題がある。
【０００７】
また、多チャンネルまるごと録画レコーダでは、録画データの保存に必要な容量が大きく、保存期間が短いという問題を無視できない。
【０００８】
このような課題について、特許文献１〜３にはその開示や示唆はなく、それを解決する構成等についての開示や示唆はない。
【０００９】
そこで、本発明の目的は、番組情報に関する視聴者情報を授受し、視聴者間で視聴者情報の共有化を高め、放送番組の選択の容易化を図ることにある。
【００１０】
また、本発明の他の目的は、番組情報に関する視聴者情報の授受し、視聴者間で視聴者情報の共有化を高め、放送番組の選択の最適化を図ることにある。
【課題を解決するための手段】
【００１１】
本発明は、視聴者情報の収集機能を備えるサーバ装置に対してクライアント装置を構成する電子装置であって、テレビジョン受信機等の放送番組を受信する機能を備えるとともに、サーバ装置から提供された視聴者情報を受信し、この視聴者情報を電子番組情報に付加して表示することにより、番組情報と視聴者情報とを同時に閲覧でき、放送番組の視聴や録画の選択を容易にし、かつ、その番組選択の最適化を実現している。
【００１２】
上記目的を達成するため、本発明の第１の側面は、テレビジョン放送を視聴又は記録する機能を備える電子装置であって、番組情報に付加された視聴者情報を受信する受信部と、この受信部で受信した前記視聴者情報を表示する表示部とを備える構成である。斯かる構成によれば、番組情報に付加された視聴者情報を受信部で受信し、この受信部で得られた視聴者情報とともに番組情報を表示部に表示することができる。この結果、視聴間で視聴者情報の共有化が図られるとともに、視聴者情報を参照して放送番組の選択が可能になり、その選択の容易化や最適化が図られる。
【００１３】
上記電子装置において、好ましくは、前記表示部に表示される電子番組情報に視聴者から提供された前記視聴者情報を付加して表示する処理をする処理部を備える構成としてもよい。斯かる構成により、視聴者情報を電子装置からサーバ等に提供することができ、視聴者情報の共有化が図られる。
【００１４】
上記電子装置において、好ましくは、前記番組情報に関する視聴者情報を提供するユーザから前記視聴者情報に関係付けられたユーザを選択し、友人情報を生成させる処理部を備える構成としてもよい。視聴者情報に関係付けられたユーザの選択により、共通の放送番組を視聴するユーザを表す友人情報が生成される。斯かる構成によっても、上記目的が達成される。
【００１５】
上記電子装置において、好ましくは、前記番組情報に付加すべき視聴者情報を送信する送信部を備える構成としてもよい。斯かる構成によれば、放送番組に付加すべき視聴者情報を電子装置から送信することができ、各ユーザから送信される視聴者情報を収集することができる。斯かる構成によっても、上記目的が達成される。
【００１６】
上記電子装置において、好ましくは、受信した電子番組情報を記憶する電子番組情報記憶部と、受信した前記視聴者情報を記憶する視聴者情報記憶部とを備える構成としてもよい。斯かる構成によれば、受信した視聴者情報を視聴者情報記憶部に記憶し、その記憶情報を活用することができる。斯かる構成によっても、上記目的が達成される。
【００１７】
上記電子装置において、好ましくは、前記視聴者情報は、放送番組の出演者、番組名、番組ジャンル、視聴者のコメント、放送番組に関する視聴者情報を提供したユーザ、ユーザ数の１又は複数を含む構成としてもよく、斯かる構成によっても、上記目的が達成される。
【００１８】
上記電子装置において、好ましくは、前記視聴者情報は、放送番組の出演者、番組名又は番組ジャンルを特定するタグ情報を含む構成としてもよく、斯かる構成によっても、上記目的が達成される。
【００１９】
上記目的を達成するため、本発明の第２の側面は、テレビジョン放送を視聴又は記録する機能を備える電子装置の情報閲覧方法であって、番組情報に付加された視聴者情報を受信するステップと、受信した前記視聴者情報を表示するステップとを含む構成である。斯かる構成によっても、上記目的が達成される。
【００２０】
上記電子装置の情報閲覧方法において、好ましくは、電子番組情報に視聴者から提供された前記視聴者情報を付加して表示するステップを含む構成としてもよく、斯かる構成によっても、上記目的が達成される。
【００２１】
上記目的を達成するための、本発明の第３の側面は、コンピュータによって実行され、テレビジョン放送を視聴又は記録する機能を備える、電子装置の情報閲覧プログラムであって、番組情報に付加された視聴者情報を受信するステップと、受信した前記視聴者情報を表示するステップとを含む構成である。斯かる構成によっても、上記目的が達成される。
【発明の効果】
【００２２】
本発明によれば、次のような効果が得られる。
【００２３】
(1) 番組情報に関する視聴者情報を授受し、視聴者間で視聴者情報の共有化を高め、放送番組の選択の容易化を図ることができる。
【００２４】
(2) 番組情報に関する視聴者情報を授受し、視聴者間で視聴者情報の共有化を高め、放送番組の選択の最適化を図ることができる。
【００２５】
(3) 本発明を用いれば、ユーザは視聴者全体で人気のある番組をＥＰＧ上で容易に知ることができ、人気の高い番組を選んで見ることができるとともに、視聴者全体ではなく友人内で人気が高い番組をＥＰＧ上で容易に知ることができる。
【００２６】
(4) また、視聴者情報を利用して、同様のテーマである放送番組を漏れなく確認することができ、視聴者情報を通じてユーザの番組推薦や評価活動に参画することができる。
【００２７】
そして、本発明の他の目的、特徴及び利点は、添付図面及び各実施の形態を参照することにより、一層明確になるであろう。
【発明を実施するための最良の形態】
【００２８】
本発明の実施の形態について、図１を参照して説明する。図１は、実施の形態に係る放送情報の収集・閲覧システムを示す図である。図１に示す放送情報の収集・閲覧システムは一例であって、本発明は、斯かる構成に限定されるものではない。
【００２９】
この放送情報の収集・閲覧システム２は、ＴＶ放送等の放送受信機能を備える電子装置の一例として、複数のテレビジョン受信装置（以下「ＴＶ装置」という）４と、ソーシャルブックマークサーバ（以下「ＳＢＭサーバ」という）６とを備え、ＴＶ装置４とＳＢＭサーバ６とはインターネット等のネットワーク７（図２）で接続されている。この場合、ＴＶ装置４は、ＳＢＭサーバ６に対してクライアント装置であって、視聴者であるユーザ８に対応して設置され、単一又は複数の放送局１０からの放送番組１２及びＥＰＧ情報１４を受信する。放送局１０は、公共放送、民間放送等、多数の視聴者をユーザとする放送提供体である。放送番組１２は、放送によって提供される番組である。ＥＰＧ情報１４は、電子番組表機能に関する情報である。視聴者情報としてソーシャルブックマーク（ＳＢＭ）は、視聴者の番組に関する共有情報である。そして、ＳＢＭサーバ６では、放送番組を表す番組情報に関する視聴者情報の収集処理及び表示処理を行う。
【００３０】
この実施の形態において、ＳＢＭ登録情報には、ユーザＩＤ、地域ＩＤ、番組開始日時、番組終了日時、チャンネル、放送局名、番組名、番組ジャンル、タグ及びコメント等が含まれる。ここで、ユーザＩＤは、視聴者等、ユーザを識別するための識別情報であり、地域ＩＤは、同一番組でも放送地域によってチャンネル数や放送局名が異なることから、視聴地域を特定するための識別情報である。番組開始日時は、番組の開始時点の日時を表す時間情報であり、番組終了日時は、番組の終了時点の日時を表す時間情報である。チャンネルは、その地域の放送局に設定された放送チャンネル番号である。番組ジャンルは、放送内容の種別であって例えば、ニュース、ドラマ、バラエティ等である。
【００３１】
この収集・閲覧システム２では、放送番組１２及びＥＰＧ情報１４に関連し、ＴＶ装置４（図２）のＥＰＧ画面上にＳＢＭサーバ６（図４）から提供されるブックマーク情報１６を表示し、また、ユーザ８は、ＴＶ装置４を通して、ブックマークの参照１８及び操作２０に基づき、ＴＶ装置４からＳＢＭサーバ６にブックマークの登録２２を可能にしている。
【００３２】
ＴＶ放送等の視聴者であるユーザ８は、ＥＰＧ画面を通してＳＢＭの登録及び閲覧の機能を利用することができる。この場合、ユーザ８の操作によりＴＶ装置４を通して明示的なブックマーク操作が随時、ＳＢＭサーバ６に登録される。ＳＢＭサーバ６の処理結果がユーザ８側のＴＶ装置４に通知される。そして、ＴＶ装置４では、
ａ  放送中の番組の選択と視聴
ｂ  将来の番組の選択と録画予約
ｃ  放送済みの番組の情報の参照と録画済みデータの再生
において、既述のＳＢＭが利用される。
【００３３】
次に、ＴＶ装置４について、図２及び図３を参照して説明する。図２は、放送情報の収集・閲覧システム２におけるＴＶ装置４の構成例を示す図、図３は、システム制御部の構成例を示す図である。図２及び図３において、図１と同一部分には同一符号を付してある。
【００３４】
図２に示すように、ＴＶ装置４はアンテナ４０２を備え、このアンテナ４０２を通して受信した放送をＴＶチューナ４０４に入力し、その放送電波からエンコーダ４０６により音声情報を含む映像情報を復調し、この映像情報を映像用メモリ４０８に記憶し、この映像用メモリ４０８から読み出された映像情報をデコーダ４１０から表示部４１２に入力するとともに、ビデオ出力４１４として取り出し、この場合、音声情報は音声処理部４１６に入力する。
【００３５】
ＴＶチューナ４０４、エンコーダ４０６、映像用メモリ４０８、デコーダ４１０は、音声・映像（ＡＶ）制御部４１８によって制御され、このＡＶ制御部４１８に接続された録画予約メモリ４２０には、録画予約データテーブル４２０２、ハードディスク（ＨＤＤ：Hard Disk Drive ）録画済み番組データテーブル４２０４が設定され、録画予約データテーブル４２０２には録画すべき放送番組１２を特定する番組情報が格納され、ＨＤＤ録画済み番組データテーブル４２０４には録画済の番組情報が格納される。この場合、番組情報は、放送局１０を表す情報、番組の放送時間、番組コード等である。
【００３６】
放送に含まれる電子番組情報を処理するＥＰＧ系統４２２には、番組情報の受信・記憶部として例えば、ＥＰＧ受信部４２４及びＥＰＧメモリ４２６が設置されている。ＥＰＧ受信部４２４はＴＶチューナ４０４からＥＰＧ信号を取込んでＥＰＧ情報を復調する。ＥＰＧメモリ４２６にはＥＰＧデータテーブル４２６２が設定され、ＥＰＧ情報が記憶される。
【００３７】
ＳＢＭサーバ６から配信されるＳＢＭ情報の表示処理を行うＳＢＭ表示系統４２８には、視聴者情報の受信・記憶部として例えば、ＳＢＭ受信部４３０及びＳＢＭメモリ４３２が設置されている。ＳＢＭ受信部４３０は、ＳＢＭサーバ６から配信されたＳＢＭ信号をインターネット等のネットワーク７を通じて取り込み、そのＳＢＭ信号からＳＢＭ情報を復調する。ＳＢＭメモリ４３２には、ＳＢＭテーブル４３２０が設定され、ＳＢＭ情報が記憶される。このＳＢＭテーブル４３２０には、ＳＢＭ番組データテーブル４３２２、ＳＢＭ視聴者数データテーブル４３２４、ＳＢＭ登録データテーブル４３２６が含まれ、ＳＢＭ番組データテーブル４３２２にはＳＢＭ番組情報が記憶され、ＳＢＭ視聴者数データテーブル４３２４にはＳＢＭ視聴者数が記憶され、ＳＢＭ登録データテーブル４３２６にはブックマーク登録情報が記憶されている。
【００３８】
ＳＢＭサーバ６に対してＳＢＭ情報の送信処理を行うＳＢＭ送信系統４３４には、ＳＢＭ送信部４３６が設置されている。リモコン装置４３８から入力されたＳＢＭ情報が各種情報の処理部として例えば、システム制御部４４０を通してＳＢＭ送信部４３６に入力されて処理され、ＳＢＭサーバ６に送信される。
【００３９】
そして、システム制御部４４０はコンピュータで構成され、データ処理やデータ収集のための通信処理等を行う。そこで、システム制御部４４０は、図３に示すように、ＣＰＵ（Central Processing Unit ）４４２、メモリ部４４４及びＲＡＭ（Random-Access Memory）４４６等を備え、これらをバス４４８で接続して構成されている。ＣＰＵ４４２は、メモリ部４４４に格納されている視聴者情報収集・閲覧プログラム４４４２を実行する。メモリ部４４４には、オペレーティングシステム（ＯＳ）や視聴者情報収集・閲覧プログラム４４４２、その他のプログラム４４４４が格納されている。メモリ部４４４は例えば、不揮発性メモリやハードディスク装置等の記憶媒体で構成され、他のメモリ４２０、４２６、４３２と共用する構成としてもよい。ＲＡＭ４４６はワークエリアとして用いられる。
【００４０】
このシステム制御部４４０は、リモコン装置４３８と通信し、ＥＰＧメモリ４２６の書込みや読出し、ＳＢＭメモリ４３２の書込みや読出し、ＡＶ制御部４１８、音声処理部４１６及び表示部４１２等の制御を実行し、斯かる制御により、表示部４１２の表示画面に表示されるＥＰＧ画像上にブックマークやタグ等を表示させる。
【００４１】
次に、ＳＢＭサーバ６について、図４及び図５を参照して説明する。図４は、放送情報の収集・閲覧システム２におけるＳＢＭサーバ６の構成例を示す図、図５は、サーバ制御部の構成例を示す図である。図４及び図５において、図１と同一部分には同一符号を付してある。
【００４２】
図４に示すように、ＳＢＭサーバ６は視聴・録画情報受信部６０２、番組情報送信部６０４、マスタメモリ６０６、サーバ制御部６０８及びメモリ部６１０を備えている。視聴・録画情報受信部６０２は、各ＴＶ装置４からインターネット等のネットワーク７を通じて送信される視聴・録画情報を受信し、また、番組情報送信部６０４は、各ＴＶ装置４に対してインターネット等のネットワーク７を通じて番組情報を送信する。マスタメモリ６０６は、マスタＤＢ６０６２及び放送局別番組ＤＢ６０６４が構築され、各種視聴者情報や放送局別番組情報等を記憶する。サーバ制御部６０８は、メモリ部６１０の情報記憶等の制御を行う。メモリ部６１０は、放送局１０から提供される放送や番組に関する情報を記憶するとともに、視聴者から提供された情報、ＳＢＭ情報等を記憶する。
【００４３】
サーバ制御部６０８には、友人自動抽出機能部６１２、視聴者数集計機能部６１４、ネット番組集計機能部６１６、シリーズ番組集計機能部６１８が設定されている。友人自動抽出機能部６１２は、友人リストメモリ６２２に記憶している友人情報を自動抽出する。視聴者数集計機能部６１４は、視聴者メモリ６２４に記憶している視聴者の集計とともに、視聴者メモリ６２４に対する情報の読み書きを実行する。ネット番組集計機能部６１６は、ネット番組メモリ６２６に記憶しているネット番組情報の集計や、ネット番組メモリ６２６に対する情報記憶を実行する。シリーズ番組集計機能部６１８は、シリーズ番組メモリ６２８に記憶しているシリーズ番組情報の集計や、シリーズ番組メモリ６２８の読み書きを実行する。
【００４４】
メモリ部６１０には、友人リストメモリ６２２、視聴者メモリ６２４、ネット番組メモリ６２６、シリーズ番組メモリ６２８が設定されており、友人リストメモリ６２２には友人リストＤＢ（自動抽出）６２２２、友人リストＤＢ（手動登録）６２２４、視聴者メモリ６２４には視聴者ＤＢ６２４２、番組別視聴者ＤＢ６２４４、ネット番組メモリ６２６にはネット番組ＤＢ６２６２、シリーズ番組メモリ６２８にはシリーズ番組ＤＢ６２８２が設定されている。
【００４５】
そして、サーバ制御部６０８はコンピュータで構成され、複数のＴＶ装置４等と連携され、視聴者情報の収集、その集計、集計結果の提供等の処理等を行う。そこで、サーバ制御部６０８には、図５に示すように、ＣＰＵ６３０、メモリ部６３２及びＲＡＭ６３４等を備え、これらをバス６３６で接続して構成されている。ＣＰＵ６３０は、メモリ部６３２に格納されている視聴者情報収集・閲覧プログラム６３２２を実行する。メモリ部６３２には、オペレーティングシステム（ＯＳ）や視聴者情報収集・閲覧プログラム６３２２、その他のプログラム６３２４が格納されている。メモリ部６３２は例えば、不揮発性メモリやハードディスク装置等の記憶媒体で構成され、マスタメモリ６０６、メモリ部６１０と共用する構成としてもよい。ＲＡＭ６３４はワークエリアとして用いられる。
【００４６】
そして、この収集・閲覧システム２において、ユーザ情報データは例えば、図６に示すように、ユーザＩＤ、地域ＩＤ、都道府県名、ハンドルネーム等で構成される。ユーザＩＤは、サービス利用者の識別コードであって、その値を例えば、整数３２ビットで構成する。地域ＩＤは、例えば、東京２３区であり、その放送受信地域の識別コードであって、その値を例えば、整数１６ビットで構成する。都道府県名は、公開用の都道府県名であって、その値を例えば、文字列３２バイトで構成する。また、ハンドルネームは、ユーザが用いる公開用の名前（例えば、ペンネーム）であって、その値を例えば、文字列３２バイトで構成する。
【００４７】
また、ユーザ環境の放送チャンネル情報は例えば、図７に示すように、放送局ＩＤ、チャンネル、放送局名（日本語）及び放送局名（英略称）で構成される。例えば、放送局ＩＤ＝１では、チャンネル＝１、放送局名（日本語）は例えば、ＡＢＺであり、放送局名（英略称）は、「ＡＢ」である。
【００４８】
また、この収集・閲覧システム２において、ＥＰＧデータテーブル４２６２は、図８に示すように、ＩＤ、番組開始日時、番組終了日時、チャンネル、番組名及び説明で構成される。番組開始日時の項目には、開始日時１・・・等を登録し、番組終了日時の項目には、終了日時１、終了日時２・・・等を登録する。チャンネルの項目には、チャンネル番号を登録し、番組名には番組１、番組２・・・等を登録する。このＥＰＧデータテーブル４２６２には、１週間先までの情報を格納する。
【００４９】
録画予約データテーブル４２０２は、図９に示すように、ＩＤ、番組開始日時、番組終了日時、チャンネル、番組名、タグ及びコメントで構成される。タグ＋コメントの項目には例えば、 [タグ１] 、 [タグ２] 、 [タグ３] ・・・等を登録する。この録画予約データテーブル４２０２には、１ヶ月先までの情報を格納する。
【００５０】
ＨＤＤ録画済み番組データテーブル４２０４は、図１０に示すように、ＩＤ、番組開始日時、番組終了日時、チャンネル、番組名、ファイルＩＤで構成される。
【００５１】
ＳＢＭ番組データテーブル４３２２は、図１１に示すように、ＩＤ、番組開始日時、番組終了日時、チャンネル、番組名、タグで構成される。タグの項目には例えば、 [タグ１] 、 [タグ２] 、 [タグ３] ・・・等を登録する。このＳＢＭ番組データテーブル４３２２には、期間制限なしで情報を格納する。
【００５２】
ＳＢＭ視聴者数データテーブル４３２４は、図１２に示すように、ＩＤ、番組開始日時、番組終了日時、チャンネル、全国視聴者数、友人視聴者数で構成される。全国視聴者数及び友人視聴者数の項目には、数１、数２・・・等を登録する。このＳＢＭ視聴者数データテーブル４３２４には、１週間先までの情報を格納する。
【００５３】
また、この収集・閲覧システム２において、視聴、予約情報のマスタＤＢ６０６２は、図１３に示すように、ユーザＩＤ、地域ＩＤ、番組開始日時、番組終了日時、放送局名、番組名、タグ＋コメント、番組ＩＤ、録画予約、視聴時間の項目を以て構成される。
【００５４】
図１４に示すように、各項目について、ユーザＩＤ、地域ＩＤは既述の通りである。番組開始日時は、番組の放送開始日時であり、その値は時間型で構成する。番組終了日時は、番組の放送終了日時であり、その値は時間型で構成する。放送局名は、番組を放送したＴＶ局の略号であって、例えば、ＧＨのように文字列で構成する。番組名は、放送番組であって、文字列で構成する。タグ＋コメントは、ブックマークを付すタグとコメント、括弧で括られた言葉であって、文字列で構成し、例えば、 [番組ジャンル] 、 [出演者名] である。番組ＩＤは、放送局毎の番組を識別するための番組識別コードであって、３桁と５桁から生成する整数である。録画予約は、ユーザが録画したかのフラグであって、論理型で構成する。また、視聴時間は、ユーザが番組を視聴した時間であって、整数で構成する。
【００５５】
放送局別番組ＤＢ６０６４は、図１５に示すように、番組ＩＤ、ネット番組ＩＤ、シリーズ番組ＩＤ、全国視聴者数、視聴者一覧へのポインタで構成される。
【００５６】
番組別視聴者ＤＢ６２４４は、図１６に示すように、番組ＩＤ、視聴者１のユーザＩＤ、視聴者２のユーザＩＤ、視聴者３のユーザＩＤ・・・で構成される。
【００５７】
ネット番組ＤＢ６２６２は、図１７に示すように、ネット番組ＩＤ、放送局１の番組ＩＤ、放送局２の番組ＩＤ、放送局３の番組ＩＤ・・・で構成される。
【００５８】
友人リストＤＢ（自動抽出）６２２２は、図１８に示すように、ユーザＩＤ、友人１のユーザＩＤ、友人２のユーザＩＤ・・・友人ｍのユーザＩＤで構成される。
【００５９】
友人リストＤＢ（手動登録）６２２４は、図１９に示すように、ユーザＩＤ、友人１のユーザＩＤ、友人２のユーザＩＤ・・・友人ｎのユーザＩＤで構成される。
【００６０】
次に、この収集・閲覧システム２の動作を説明する。
【００６１】
放送番組の視聴及び予約情報集積の処理において、ＴＶ装置４では、
(1) ＡＶ系処理
(2) 視聴送信系処理（並列処理）
(3) ＥＰＧ取得処理
(4) ユーザ操作処理（録画送信系処理）
(5) サーバ送信（録画）処理
(6) 視聴送信系処理
(7) サーバ送信（視聴）処理
が実行され、ＳＢＭサーバ６では、
(8) 予約情報集積処理
(9) 類似ユーザ抽出処理
(10)  視聴者データ更新処理
(11)  番組別情報提供処理
が実行される。また、これらの関連処理として、
(12)自動ＳＢＭ登録処理
(13)タグ登録処理
(14)ブックマーク参照
(15)自動録画
(16)ＥＰＧ画面
が実行される。以下、各処理について説明する。
【００６２】
〔ＴＶ装置４側の処理〕
【００６３】
(1) ＡＶ系処理
【００６４】
図２０に示すように、このＡＶ系処理では、システムの初期化を行い（ステップＳ１）、ＴＶ装置４の外部入力表示を行い（ステップＳ２）、ユーザ操作処理を行う（ステップＳ３）。この処理の後、電源オフか否かを監視し（ステップＳ４）、電源オフでなければ（ステップＳ４のＮＯ）、ユーザ操作処理を継続させ（ステップＳ３）、電源オフであれば（ステップＳ４のＹＥＳ）、システム終了処理を実行し（ステップＳ５）、このメインルーチンを終了する。
【００６５】
(2) 視聴送信系処理
【００６６】
この視聴送信系処理は、既述のＡＶ系処理と並列処理である。図２１に示すように、この視聴送信系処理では、ＳＢＭ送信系統４３４の初期化を行い（ステップＳ１１）、ＳＢＭ送信系統４３４の処理を行う（ステップＳ１２）。この処理の終了か否かを監視し（ステップＳ１３）、処理終了でなければ（ステップＳ１３のＮＯ）、ＳＢＭ送信系統４３４の処理を継続させ（ステップＳ１２）、処理終了であれば（ステップＳ１３のＹＥＳ）、終了処理を実行し（ステップＳ１４）、このルーチンを終了する。
【００６７】
(3) ＥＰＧ取得処理
【００６８】
図２２に示すように、このＥＰＧ取得処理では、ＥＰＧ系統４２２の初期化を行い（ステップＳ２１）、ＥＰＧ取得を行う（ステップＳ２２）。この処理の終了か否かを監視し（ステップＳ２３）、処理終了でなければ（ステップＳ２３のＮＯ）、ＥＰＧ取得の処理を継続させ（ステップＳ２２）、処理終了であれば（ステップＳ２３のＹＥＳ）、終了処理を実行し（ステップＳ２４）、このルーチンを終了する。
【００６９】
(4) ユーザ操作処理（録画送信系処理）
【００７０】
このユーザ操作処理は、ＡＶ系処理（図２０）のステップＳ３のサブルーチンである。このユーザ操作処理では、図２３に示すように、リモコン装置４３８からパネル入力を行い（ステップＳ３１）、ウェイト状態（ステップＳ３２）を経て、ＥＰＧ録画設定か否かを監視し（ステップＳ３３）、ＥＰＧ録画設定でなければ（ステップＳ３３のＮＯ）、終了処理を行い（ステップＳ３４）、この処理を終了する。
【００７１】
ＥＰＧ録画設定であれば（ステップＳ３３のＹＥＳ）、録画予約データテーブル４２０２に記録し（ステップＳ３５）、サーバ送信（録画）の処理を行い（ステップＳ３６）、この処理を終了する。
【００７２】
(5) サーバ送信（録画）処理
【００７３】
このサーバ送信（録画）は、ユーザ操作処理（図２３）のステップＳ３６のサブルーチンである。このサーバ送信（録画）では、図２４に示すように、録画予約情報の取得を行い（ステップＳ４１）、ＥＰＧデータテーブル４２６２より表示番組データを抽出し（ステップＳ４２）、予約チャンネルより放送局名（英略称）を抽出する（ステップＳ４３）。
【００７４】
ユーザ情報を取得し（ステップＳ４４）、サーバ送信を行うとともにタグ入力ガイド表示を行い（ステップＳ４５）、タグを入力するか否かを問合せ（ステップＳ４６）、タグ入力であれば（ステップＳ４６のＹＥＳ）、タグのユーザ入力を受け付け（ステップＳ４７）、ユーザ入力したタグが付加されたデータをＳＢＭサーバ６に送信し（ステップＳ４８）、この処理を終了する。
【００７５】
タグ入力でなければ（ステップＳ４６のＮＯ）、ＥＰＧ番組情報からキーワードの自動抽出を行い（ステップＳ４９）、自動抽出したタグが付加されたデータをＳＢＭサーバ６に送信し（ステップＳ５０）、この処理を終了する。
【００７６】
(6) 視聴送信系処理
【００７７】
この視聴送信系処理は、視聴送信系処理（図２１）のステップＳ１２のサブルーチンである。この視聴送信系処理では、図２５に示すように、ＳＢＭ送信系統４３４の初期化を行い（ステップＳ６１）、ウェイト状態（ステップＳ６２）を経て、電源のオフを監視し（ステップＳ６３）、電源オフであれば（ステップＳ６３のＹＥＳ）、終了処理を行い（ステップＳ６４）、この処理を終了する。
【００７８】
電源オフでなければ（ステップＳ６３のＮＯ）、ＴＶ表示モードか否かを判断し（ステップＳ６５）、ＴＶ表示モードでなければ（ステップＳ６５のＮＯ）、ステップＳ６２に戻る。ＴＶ表示モードであれば（ステップＳ６５のＹＥＳ）、ＳＢＭサーバ６へ未送信であるか否かを判断し（ステップＳ６６）、ＳＢＭサーバ６に送信済であれば（ステップＳ６６のＮＯ）、チャンネル変更か否かの判定をし（ステップＳ６７）、チャンネル変更でなければ（ステップＳ６７のＮＯ）、次番組へ変更か否かを判断し（ステップＳ６８）、次番組へ変更でなければ（ステップＳ６８のＮＯ）、前回送信から所定時間例えば、５分経過しているか否かの判断をし（ステップＳ６９）、前回送信から５分が経過していなければ（ステップＳ６９のＮＯ）、ステップＳ６２に戻る。また、前回送信から５分が経過していれば（ステップＳ６９のＹＥＳ）、サーバ送信（視聴）の処理を実行し（ステップＳ７０）、ステップＳ６２に戻る。また、ＳＢＭサーバ６に未送信であれば（ステップＳ６６のＹＥＳ）、サーバ送信（視聴）処理を実行し（ステップＳ７０）、ステップＳ６２に戻る。
【００７９】
(7) サーバ送信（視聴）処理
【００８０】
このサーバ送信（視聴）処理は、視聴送信系処理（図２５）のステップＳ７０のサブルーチンである。このサーバ送信（視聴）処理では、図２６に示すように、現在時刻の取得（ステップＳ７１）、表示チャンネルの取得（ステップＳ７２）の後、ＥＰＧデータテーブル４２６２より表示番組データを抽出し（ステップＳ７３）、表示チャンネルより放送局名（英略称）を抽出し（ステップＳ７４）、ユーザ情報を取得し（ステップＳ７５）、サーバ送信とタグ入力ガイド表示をする（ステップＳ７６）。ここで、タグを入力するか否かを判断し（ステップＳ７７）、タグ入力であれば（ステップＳ７７のＹＥＳ）、タグのユーザ入力を受け付け（ステップＳ７８）、ユーザの入力タグを付加したデータをＳＢＭサーバ６へ送信し（ステップＳ７９）、この処理を終了する。
【００８１】
タグ入力でなければ（ステップＳ７７のＮＯ）、ＥＰＧ番組情報からキーワードの自動抽出を行い（ステップＳ８０）、自動抽出タグを付加したデータをＳＢＭサーバ６へ送信し（ステップＳ８１）、この処理を終了する。
【００８２】
〔ＳＢＭサーバ６側の処理〕
【００８３】
(8) 予約情報集積処理
【００８４】
この予約情報集積処理は、クライアントの視聴、予約情報集積のための処理である。そこで、この予約情報集積処理では、図２７に示すように、初期化を行い（ステップＳ９１）、ＳＢＭサーバ６に対してクライアント装置であるＴＶ装置４からのリクエストを受け付け（ステップＳ９２）、そのリクエスト内容は妥当か否かを判断し（ステップＳ９３）、その内容が妥当でなければ（ステップＳ９３のＮＯ）、ステップＳ９２に戻る。リクエスト内容が妥当であれば（ステップＳ９３のＹＥＳ）、番組ＩＤを生成し（ステップＳ９４）、マスタＤＢ６０６２を更新し（ステップＳ９５）、番組が所定時間例えば、３時間以内の番組であるか否かを判断し（ステップＳ９６）、３時間以内の番組でなければ（ステップＳ９６のＮＯ）、ステップＳ９２に戻る。番組が３時間以内であれば（ステップＳ９６のＹＥＳ）、視聴者ＤＢ６２４２を更新し（ステップＳ９７）、ステップＳ９２に戻る。
【００８５】
(9) 類似ユーザ抽出処理
【００８６】
この類似ユーザ抽出処理は、ＳＢＭサーバ６における近似の視聴傾向ユーザの抽出のための処理である。そこで、この類似ユーザ抽出処理は例えば、１週間に１度の実行とし、この処理では、図２８に示すように、初期化を行い（ステップＳ１０１）、処理する番組ＩＤを決定し（ステップＳ１０２）、処理する番組ＩＤを録画・視聴したユーザを抽出する（ステップＳ１０３）。抽出されたユーザＩＤ毎に番組ＩＤのヒット率の上位ユーザを抽出し（ステップＳ１０４）、抽出されたユーザＩＤ毎に、比較ユーザが録画・視聴した番組中の基準ユーザが録画・視聴した番組の比率を計算し、上位ユーザを抽出する（ステップＳ１０５）。抽出されたユーザを基準ユーザの友人リストに登録する（ステップＳ１０６）。
【００８７】
これらの処理が全ユーザについて行われたか否かを判断し（ステップＳ１０７）、全ユーザの処理が完了していなければ（ステップＳ１０７のＮＯ）、ステップＳ１０２に戻り同様の処理を繰り返し、全ユーザの処理が完了すれば（ステップＳ１０７のＹＥＳ）、この処理を終了する。
【００８８】
(10)  視聴者データ更新処理
【００８９】
この視聴者データ更新処理は、ＳＢＭサーバ６における近似の視聴者傾向ユーザに視聴及び予約表示をする処理である。そこで、この視聴者データ更新処理では、図２９に示すように、初期化を行い（ステップＳ１１１）、基準番組ＩＤを決定し（ステップＳ１１２）、マスタＤＢ６０６２より基準番組ＩＤを録画・視聴しているユーザを抽出し（ステップＳ１１３）、番組別視聴者ＤＢ６２４４にユーザ８を登録し（ステップＳ１１４）、放送局別番組ＤＢ６０６４にユーザ数と番組別視聴者ＤＢ６２４４へのポインタを更新する（ステップＳ１１５）。
【００９０】
これらの処理が全ユーザについて行われたか否かを判断し（ステップＳ１１６）、全ユーザの処理が完了していなければ（ステップＳ１１６のＮＯ）、ステップＳ１１２に戻り同様の処理を繰り返し、全ユーザの処理が完了すれば（ステップＳ１１６のＹＥＳ）、この処理を終了する。
【００９１】
(11)  番組別情報提供処理
この番組別情報提供処理は、ＳＢＭサーバ６における近似の視聴者傾向ユーザに視聴及び予約表示をする処理である。そこで、この番組別情報提供処理では、図３０に示すように、初期化を行い（ステップＳ１２１）、クライアント装置であるＴＶ装置４からのリクエストを受け付け（ステップＳ１２２）、放送局別番組ＤＢ６０６４を参照し（ステップＳ１２３）、ネット番組があるか否かを判断し（ステップＳ１２４）、ネット番組があれば（ステップＳ１２４のＹＥＳ）、ネット番組ＤＢ６２６２を参照し、全局の番組ＩＤを参照し（ステップＳ１２５）、シリーズ番組があるか否かを判断する（ステップＳ１２６）。ネット番組がなければ（ステップＳ１２４のＮＯ）、シリーズ番組があるか否かを判断する（ステップＳ１２６）。
【００９２】
シリーズ番組があれば（ステップＳ１２６のＹＥＳ）、放送局別番組ＤＢ６０６４よりシリーズ番組ＩＤを参照し（ステップＳ１２７）、未放送の番組か否かを判断する（ステップＳ１２８）。シリーズ番組でなければ（ステップＳ１２６のＮＯ）、未放送の番組か否かを判断する（ステップＳ１２８）。
【００９３】
未放送の番組でなければ（ステップＳ１２８のＮＯ）、上記参照データより、全視聴者数、友人視聴者数を回答し（ステップＳ１２９）、ステップＳ１２２に戻る。また、未放送の番組であれば（ステップＳ１２８のＹＥＳ）、上記参照データより、予測全視聴者数、予測友人視聴者数を回答し（ステップＳ１３０）、ステップＳ１２２に戻る。
【００９４】
(12)自動ＳＢＭ登録処理
【００９５】
ＳＢＭ登録は、番組視聴中、ＥＰＧ表示中、録画予約中、録画実行中の何れであってもよい。番組視聴中に、ＴＶ装置４から番組情報をＳＢＭサーバ６に送信する場合、図３１に示すように、その送信タイミングは、ＴＶ視聴開始時、チャンネル変更時、番組変更時の何れでもよい。図３１において、Ａは送信タイミング、Ｂは視聴状況を表す時間（ｔ）の経過、Ｃは番組の推移を示している。番組の視聴は時間経過ｔ（＝１６００、１７００、１７３０、１８００、１９００、１９３０・・・）に従って行われており、送信タイミングＡ１はＴＶ視聴開始時であり、送信タイミングＡ２はチャンネル変更時、送信タイミングＡ３は番組変更時である。具体的には、時刻１６：００にチャンネル１の視聴を開始し、その時点Ａ１で送信、時刻１７：３０にチャンネル１からチャンネル４に変更し、その時点Ａ２で送信し、また、チャンネル４において、時刻１８：００で番組２、１９：００で番組３、１９：３０で番組４・・・を変更し、各時点Ａ３でＳＢＭが送信されている。
【００９６】
ＥＰＧ表示中に視聴予約する番組情報をＳＢＭサーバ６に登録する場合には、図３２に示すように、ＥＰＧ表示中に送信タイミングを設定する。Ａは送信タイミング、Ｂは視聴状況を表す時間（ｔ）の経過、Ｃは各放送局の放送番組を示している。１９時台では、チャンネル１：ＡＢＺ、チャンネル４：ＥＦＺ、チャンネル６：ＧＨＺで各番組が放送され、チャンネル４：ＥＦＺに視聴予約が設定され、この予約操作時Ａ４にＳＢＭが送信されている。
【００９７】
録画予約中に録画予約する番組情報をＳＢＭサーバ６に登録する場合には、図３３に示すように、録画予約中に送信タイミングを設定する。図３３において、Ａは送信タイミング、Ｂは視聴状況を表す時間（ｔ）の経過、Ｃは各放送局の放送番組を示している。１９時台では、チャンネル１：ＡＢＺ、チャンネル４：ＥＦＺ、チャンネル６：ＧＨＺで各番組が放送される予定であり、チャンネル４：ＥＦＺに録画予約が設定され、この録画の予約操作時Ａ５にＳＢＭが送信されている。
【００９８】
また、録画実行中に、録画中の番組情報をＳＢＭサーバ６に登録する場合には、図３４に示すように、録画実行中に送信タイミングを設定する。図３４において、Ａは送信タイミング、Ｂは視聴状況を表す時間（ｔ）の経過、Ｃは録画予約状況を示している。この場合、時刻１７００には番組１、１８００には番組２、１９００には番組３、２０００には番組４・・・が予約されている。この場合、Ａ６が送信タイミングである。
【００９９】
(13)タグ登録処理
【０１００】
タグ登録の処理には、ＴＶ装置４にＴＶ表示中、ＥＰＧ表示中、録画予約中、録画実行中に切替可能なタグ入力画面が設定される。例えば、図３５に示すように、このタグ入力画面４５０には、項目表示部４５２及びＳＢＭ確認表示部４５４が表示され、項目表示部４５２には時間、各放送局ＡＢＺ、ＥＦＺ、ＧＨＺとともに放送番組が表示され、また、ＳＢＭ確認表示部４５４には、放送日時、チャンネル、コメント、タグ、お薦めタグ、キーワードの他、「登録する」又は「中止」を選択するダイアログボタン４５６、４５８が表示されている。
【０１０１】
お薦めタグには、「他の視聴者がこの番組に設定したタグ」と表示され、キーワードには、「番組情報から抜き出したお薦めのタグ」と表示されている。
【０１０２】
このようにＴＶ装置４のタグ入力画面４５０には、ＥＰＧ情報から抽出されたタグ候補（キーワード）と、ＳＢＭサーバ６から取得したタグ候補（お薦めタグ）が表示され、このタグ入力画面４５０で、タグ候補の１又は複数の選択と、タグ・コメントの自由文によるコメント入力が行える。
【０１０３】
(14)ブックマーク参照
【０１０４】
ＴＶ装置４は、ＴＶ表示画面に画像表示中に詳細情報とともにタグを表示する機能を備えており、タグは各タグを登録したユーザ数によりその表示が強調される。例えば、図３６に示すように、ＴＶ装置４のＴＶ表示画面４６０には、画像表示部４６１に詳細情報画面４６２が重ねて表示され、この詳細情報画面４６２にはタグ４６４が表示される。タグ４６４は、各タグ４６４を登録したユーザ数によって強調された表示とし、例えば、文字の大きさによってユーザ数の多寡が表示される。
【０１０５】
次に、詳細情報画面４６２のユーザ操作に基づく動作について説明する。
【０１０６】
番組名の選択に基づき、他のＳＢＭ登録ユーザとそれぞれのタグ・コメントが表示される。例えば、図３７に示すように、番組名の選択１では（ステップＳ１４１）、チャンネル、番組名、番組ジャンル、出演者、番組内容及びコメントが表示されるとともに、その文字の大きさは、タグ数に応じたものとする。この番組名について、タグ・コメント表示、シリーズ録画予約、シリーズコメント表示の選択項目が表示され（ステップＳ１４２）、タグ・コメント表示を選択すると、チャンネル、番組名について、ＳＢＭ登録ユーザとして例えば、ユーザ１〜５について、タグを付した番組ジャンル、出演者、コメント等が表示され（ステップＳ１４３）、この処理を終了する。
【０１０７】
番組名の選択に基づき、その番組をシリーズ録画予約が可能である。ここで、シリーズ録画予約は、例えば、１週間毎に同一の曜日及び同一時間での録画設定である。例えば、図３８に示すように、番組名の選択２では（ステップＳ１５１）、同様にチャンネル、番組名、番組ジャンル、出演者、番組内容及びコメント等が表示されるとともに、その文字の大きさは、タグ数に応じたものとする。この番組名について、タグ・コメント表示、シリーズ録画予約、シリーズコメント表示の選択項目が表示され（ステップＳ１５２）、シリーズ録画予約を選択すると、チャンネル、番組名について、メッセージとして例えば、
「シリーズ録画予約しました
次回  ○○月△△日」
と表示され（ステップＳ１５３）、この処理を終了する。
【０１０８】
また、番組名の選択により、その番組について、シリーズを通してコメントの表示が可能であり、また、コメントの入力が可能である。例えば、図３９に示すように、番組名の選択３では（ステップＳ１６１）、同様にチャンネル、番組名、番組ジャンル、出演者、番組内容及びコメント等が表示されるとともに、その文字の大きさは、タグ数に応じて表示される。この番組名について、タグ・コメント表示、シリーズ録画予約、シリーズコメント表示の選択項目が表示され（ステップＳ１６２）、シリーズコメント表示を選択すると、チャンネル、番組名について、メッセージとして期日、ユーザ３、タグが付された番組ジャンル、出演者及びコメント等が表示され（ステップＳ１６３）、この処理を終了する。
【０１０９】
また、タグの選択に基づき、そのタグがブックマークされている番組の一覧が表示される。例えば、図４０に示すように、タグの選択１では（ステップＳ１７１）、同様にチャンネル、番組名、番組ジャンル、出演者、番組内容及びコメント等が表示されるとともに、その文字の大きさは、タグ数に応じて表示される。この番組名について、「出演者１がブックマークされた番組」、「マイブックマーク登録」の選択項目が表示され（ステップＳ１７２）、その「出演者１がブックマークされた番組」を選択すると、出演者１がブックマークされた番組として、日時、チャンネル及び番組名が表示され（ステップＳ１７３）、この処理を終了する。
【０１１０】
また、タグの選択に基づき、そのタグをブックマークする。そのブックマークに係る全ての番組がＥＰＧ画面で強調表示される。例えば、図４１に示すように、タグの選択２では（ステップＳ１８１）、同様にチャンネル、番組名、番組ジャンル、出演者、番組内容及びコメント等が表示されるとともに、その文字の大きさは、タグ数に応じて表示される。この番組名について、「出演者１がブックマークされた番組」、「マイブックマーク登録」の選択項目が表示され（ステップＳ１８２）、「マイブックマーク登録」を選択すると、特定の時間に対し、放送局名及び番組名が表示され（ステップＳ１８３）、この処理を終了する。この場合、ブックマークされた番組名は、強調表示として例えば、背景色の変更により、強調されて表示される。
【０１１１】
また、ユーザの選択に基づき、そのユーザがブックマークしている番組の一覧が表示される。例えば、図４２に示すように、ユーザの選択１では（ステップＳ１９１）、同様にチャンネル、番組名、番組ジャンル、出演者、番組内容及びコメント等が表示されるとともに、その文字の大きさは、タグ数に応じて表示される。この番組名について、「タグ・コメント表示」、「シリーズ録画予約」及び「シリーズコメント表示」の選択項目が表示され（ステップＳ１９２）、「タグ・コメント表示」を選択すると、チャンネル、番組名、各ユーザ毎にタグの付された番組内容や出演者が表示され（ステップＳ１９３）、この表示画面から例えば、ユーザ１を選択すると、選択されたユーザ１のブックマーク番組であること、日時、チャンネル、番組名等、登録したブックマーク番組の一覧が表示され（ステップＳ１９４）、この処理を終了する。
【０１１２】
また、ユーザの選択に基づき、そのユーザをブックマークし、そのブックマークに係る番組がＥＰＧ画面４６８で強調表示される。例えば、図４３に示すように、ユーザの選択２では、そのユーザにブックマークの登録をし、ブックマークされたユーザにブックマーク登録された番組がＥＰＧ画面４６８で強調表示される。この場合、時間、放送局名、放送局毎の番組名、ユーザがブックマーク登録した番組を特定するマーク４６６及びタグ４６４が表示され、マーク４６６により、ブックマークされたユーザのブックマークに係る番組を示唆する。
【０１１３】
(15)自動録画
【０１１４】
タグにブックマークされた番組は自動録画される。例えば、図４４のＡに示すように、ＥＰＧ画面４６８には、時間、放送局名、放送番組名にマーク４６６が付されている。ブックマークされたタグとともに自動録画する番組が特定され、ブックマークされたタグについて、図４４のＢに示すように、出演者、番組内容、自動録画する番組の時間、チャンネル及び番組名が表示される。
【０１１５】
そして、ブックマーク登録された番組は、自動録画され、例えば、図４５に示すように、自動録画する番組としてその時間、チャンネル及び番組名が表示される。
【０１１６】
(16)ＥＰＧ画面
【０１１７】
図４６に示すように、ＥＰＧ画面４６８には、時間、放送局名及び放送内容が表示されるとともに、マーク４７０、４７２が表示されている。マーク４７０は、全国視聴者数であり、ＥＰＧ画面４６８で視聴者に人気がある番組を簡単に選ぶことができる。話題性がある番組を選んで見たい場合に有効である。また、マーク４７２は、番組を見ている友人の数を表し、ＥＰＧ画面４６８で友人が見ている番組を簡単に選ぶことができる。友人と同じ番組の話題で盛り上がりたい場合に有効である。特に、全体の視聴率では計れないローカルな話題性を知ることができる。タグ４６４は、タグ情報であり、下線を付したタグ４６４では、視聴者設定タグを表すタグ情報である。番組のジャンル、出演者、キーワード等を一覧できる。また、リモコンでタグを選択することで、同じキーワードの番組を知ることができる。また、コメントは、視聴者が書き込んだコメントへのリンクであって、番組に対するコメントを読み書きすることができる。
【０１１８】
タグ（番組ジャンル）を選択すると、例えば、図４７に示すように、選択された番組ジャンルに対応する画面として、その前後の時間帯の同一タグの番組が一覧表示される。この表示では、日、時間、放送局、放送内容、出演者及びコメントが表示され、タグが表示される。
【０１１９】
次に、ＳＢＭサーバ６のＳＢＭ登録の受信処理、ＳＢＭ参照の応答処理、友人ブックマーク参照の応答処理について説明する。
【０１２０】
(1) ＳＢＭサーバ６のＳＢＭ登録の受信処理
【０１２１】
ＳＢＭサーバ６のＳＢＭ登録の受信処理は例えば、図４８に示すように、ＳＢＭサーバ６のＳＢＭ登録の受信処理をするユーザからＳＢＭ登録を受け付け、保存する（ステップＳ２０１）。この保存は、図４９に示すように、ユーザ８がＴＶ装置４にＳＢＭを入力し（ステップＳ２０１１）、これにより、ＳＢＭサーバ６にブックマーク登録をし（ステップＳ２０１２）、ＳＢＭサーバ６のＳＢＭメモリ４３２に登録され、データベース化され（ステップＳ２０１３）、図４８のステップＳ２０１にリターンする。
【０１２２】
このデータベース化の後、地域ＩＤ、チャンネル、放送局名を確認し、正規化する（ステップＳ２０２）。例えば、図５０に示すように、各地域ＩＤ、チャンネル、放送局名が正規化され（ステップＳ２０２１、２０２２）、図４８のステップＳ２０２にリターンする。
【０１２３】
次に、放送局単位で、番組毎にタグを集計する（ステップＳ２０３）。この場合、集計処理は、タグ、登録数、コメント数、視聴者数について行う。例えば、図５１に示すように、放送局別番組表（ステップＳ２０３１）から放送局・番組別タグ・コメント表が作成され（ステップＳ２０３２）、この放送局・番組別タグ・コメント表から、放送局・番組別タグ集計表が作成されるとともに、放送局・番組別コメント数・視聴者数集計表が作成され（ステップＳ２０３３）、図４８のステップＳ２０３にリターンする。
【０１２４】
そして、再放送番組を検出して、ネット番組検索の対象外としてマークし（ステップＳ２０４）、ネット番組（全国同時放送の番組）を検出し、ネット番組表を作成する（ステップＳ２０５）。例えば、図５２に示すように、ネット番組が検出され（ステップＳ２０５１）、ネット番組表が作成され（ステップＳ２０５２）、図４８のステップＳ２０５にリターンする。
【０１２５】
この場合、ネット番組の時差放送を検出し、放送回の一致が確認できる場合は、ネット番組表に追加する（ステップＳ２０６）。例えば、図５３に示すように、ネット番組が検出され（ステップＳ２０６１）、ネット番組の時差放送が検出され（ステップＳ２０６２）、放送回の一致が確認できれば、ネット番組表（図５２のステップＳ２０５２）に追加され、図４８のステップＳ２０６にリターンする。
【０１２６】
次に、シリーズ番組を検出して、シリーズ番組表を作成する（ステップＳ２０７）。例えば、図５４に示すように、シリーズ番組が検出され（ステップＳ２０７１）、シリーズ番組表が作成され（ステップＳ２０７２）、図４８のステップＳ２０７にリターンする。
【０１２７】
ネット番組の全放送局のタグ集計結果を合算する（ステップＳ２０８）。例えば、図５５に示すように、番組別タグ集計表が作成され（ステップＳ２０８１）、放送局・番組別コメント数・視聴者数集計表が作成され（ステップＳ２０８２）、図４８のステップＳ２０８にリターンする。
【０１２８】
シリーズ番組の全番組のタグ集計結果を合算し（ステップＳ２０９）、この場合、ネット番組又はシリーズ番組が見つかった場合には、ユーザ８のブックマーク登録に追記する。例えば、図５６に示すように、ブックマーク４７４、４７６が追記され、この処理を終了する。
【０１２９】
(2) ＳＢＭサーバ６のＳＢＭ参照の応答処理
【０１３０】
ＳＢＭサーバ６のブックマーク参照の応答処理は例えば、指定範囲内の番組のデータをまとめて送信する。そこで、この応答処理では、例えば、図５７に示すように、ユーザからＳＢＭ参照要求を受け付ける（ステップＳ２１１）。この場合、例えば、図５８のＡに示すように、リクエスト形式１について、規定の時刻範囲の情報を一括要求し、また、図５８のＢに示すように、リクエスト形式２について、特定の番組の情報を要求する。
【０１３１】
次に、地域ＩＤ、チャンネル、放送局名を確認し、正規化する（ステップＳ２１２）。例えば、図５９に示すように、地域ＩＤ、チャンネル、放送局名を確認し（ステップＳ２１２１）、地域ＩＤ、チャンネル、放送局名が正規化され（ステップＳ２１２２）、図５７のステップＳ２１２にリターンする。
【０１３２】
次に、ネット番組表に対応する番組がある場合には、そのタグ集計結果を参照し、また、ネット番組表に対応する番組がない場合には、放送局単位のタグ集計結果を参照する（ステップＳ２１３）。例えば、図６０に示すように、放送局別番組表が参照され（ステップＳ２１３１）、また、別の放送局別番組表が参照され（ステップＳ２１３２）、番組別タグ集計表が参照され（ステップＳ２１３３）、コメント数及び視聴者数が参照され（ステップＳ２１３４）、図５７のステップＳ２１３にリターンする。
【０１３３】
そして、参照結果をソートして、タグ・登録数のペアの組み合わせとコメント数、視聴者数を回答する（ステップＳ２１４）。例えば、図６１に示すように、タグの登録について、各出演者に対する登録数が集計される。
【０１３４】
シリーズ番組表に対応する番組がある場合は、そのタグ集計結果を参照し（ステップＳ２１５）、参照結果をソートして、タグ・登録数のペアの組み合わせとコメント数、平均視聴者数を回答する（ステップＳ２１６）。
【０１３５】
(3) ＳＢＭサーバ６の友人ブックマーク参照の応答処理
【０１３６】
ＳＢＭサーバ６の友人ブックマーク参照の応答処理は例えば、図６２に示すように、友人ＩＤ（複数人）についてそれぞれ、ＳＢＭ登録データテーブル４３２６を参照する（ステップＳ２２１）。例えば、図６３に示すように、問合せに係るユーザ１の友人に対し、ユーザ２、ユーザ４が回答される。
【０１３７】
友人を指定し、ＳＢＭ登録データテーブル４３２６を参照し、指定範囲内の番組を視聴しているか検索する（ステップＳ２２２）。例えば、図６４のＡに示すように、リクエスト形式１について、規定の時刻範囲の情報を一括要求し、また、図６４のＢに示すように、リクエスト形式２について、特定の番組の情報を要求する。
【０１３８】
そして、視聴している番組がある場合には、番組を特定する情報とユーザＩＤ、タグ・コメントを回答し（ステップＳ２２３）、この処理を終了する。例えば、図６５に示すように、ユーザ２のブックマーク内容が回答される。４７８、４８０、４８２等がブックマークである。
【０１３９】
以上説明した収集・閲覧システム２について、特徴事項や変形例について列挙すれば、次の通りである。
【０１４０】
(1) この収集・閲覧システム２は、上記実施の形態に示した通り、放送番組にブックマークを付すことにより、視聴、録画予約等に活用する放送情報及び視聴者情報を共有するＴＶ装置４及びＳＢＭサーバ６を備えたものである。このＳＢＭサーバ６にアクセスすることにより、ＴＶ装置４において、ＥＰＧとＳＢＭとを以てユーザが興味を持つ放送番組を容易に選択でき、しかも、ネットワーク７を通じて視聴者情報を他人（友人）と共有することができる。
【０１４１】
(2) この収集・閲覧システム２では、ユーザが視聴又は録画した番組情報をＳＢＭサーバ６に提供し、ユーザ８がＳＢＭサーバ６に視聴者情報を提供する際に、事前に提示されたタグ情報又は任意に入力可能なタグ情報やコメントを付加することができる。ＳＢＭサーバ６では、多数のユーザ８から提供された視聴者情報を保存し、その視聴者情報をＥＰＧ情報等とともに編集し、編集結果をユーザ８からＴＶ装置４を通じてアクセス等により、ユーザ８のＴＶ装置４に提供する。ＴＶ装置４では、ＳＢＭサーバ６から提供された各種情報をＥＰＧ画面上に付加して表示する。ＥＰＧ情報に付加して表示する内容は視聴者数、タグ情報、コメント等であり、これらは視聴だけでなく、録画であってもよい。ユーザ８は、視聴者数からその番組の他の視聴者、その視聴者が視聴している他の番組、タグ情報から同じタグが付けられている他の番組、その番組に対する他のユーザのコメントを見ることができ、ＴＶ装置４により、興味がある他の視聴者やタグ情報をブックマークすることができる。そして、他の視聴者（ユーザ８）を友人設定することができ、視聴者情報を共有することができる。しかも、ＥＰＧに付加表示する内容は友人までの範囲に制限することができ、雑多な情報に惑わされることがない。
【０１４２】
(3) この収集・閲覧システム２によれば、視聴者情報等の情報提供を自動化する仕組みを包含しており、ユーザ８に面倒な作業を強いることなく、処理の自動化を図ることができる。
【０１４３】
(4) この収集・閲覧システム２によれば、視聴者情報や特定のユーザを選択して友人設定する等、人の行動や特性、嗜好、人間的関係に視点を移して視聴者情報の集計や共有化を実現し、処理情報のパーソナル化、ソーシャル化サービスを実現している。
【０１４４】
(5) この収集・閲覧システム２によれば、複数のユーザ８に対し、視聴者情報の関連性から個人や人間的関係を構築できるため、視聴者情報の共有化に基づく放送番組の継続的な視聴や録画に活用でき、放送番組の選択等の最適化が図られる。特に、放送予定の番組を個人別に推奨することができる。
【０１４５】
(6) この収集・閲覧システム２において、ＳＢＭサーバ６では、ソーシャルネットワーク機能を備えており、特に、ユーザ情報登録無しで利用可能であること、自動発行するユーザＩＤでユーザを識別できること、ブックマーク情報の類似度から友人を自動抽出・設定することができること、ハンドルネームは任意で設定可能であること、地域名（都道府県名）を付加できること、ユーザＩＤで友人を手動設定すること等が可能である。
【０１４６】
(7) この収集・閲覧システム２において、ＴＶ装置４では、各ユーザの最近１ヶ月（程度）のブックマーク情報を比較し、類似度が高いユーザ上位数名を友人に自動設定することができ、この設定は定期的に自動再設定できる。また、ユーザＩＤで、友人を手動設定することができ、友人が録画予約している番組を、自動録画することができ、その際、録画する番組を判定した友人を表示することもできる。番組名のコミュニティを自動開設することも可能であり、タグの名前のコミュニティを自動又は手動開設（ユーザ選択) することができる。コミュニティを手動開設する際に、他のタグ登録者に招待状を自動発送することができる。
【０１４７】
(8) このような収集・閲覧システム２では、ユーザが視聴者全体で人気のある番組をＥＰＧ上で容易に知ることができ、人気の高い番組を選んで見ることができ、また、視聴者全体ではなく友人内で人気が高い番組をＥＰＧ上で容易に知ることができ、しかも、タグ情報を利用して、同じようなテーマの番組を漏れなく確認することが容易になる。タグ付け作業によって、ユーザが番組の推薦や評価の活動に参加する等の拡張を図ることができる。
【０１４８】
(9) また、このような収集・閲覧システム２では、番組を視聴又は録画していることをユーザ単位で記録しているため、番組のプロモーション活動（視聴者プレゼント、視聴者購入特典等) を放送時の視聴者だけでなく、録画視聴ユーザにまで広げた上、ネット等でキーワードを入手した非視聴者を除外する等、精度よく実行でき、また、ブックマークしたタグにより視聴者毎にその嗜好に反映した広告や番組宣伝を供給可能となるため、番組の広報や通販番組のマーケティング上、強力な効果を発揮させることができる。
【０１４９】
(10)  上記実施の形態では、ＴＶ装置４とＳＢＭサーバ６との間にネットワーク７が介在することを明示したが、ＴＶ装置４とＳＢＭサーバ６とを直結し、ＳＢＭサーバ６がインターネットを介してホストサーバと連携する構成としてもよい。
【０１５０】
(11)  上記実施の形態では、放送受信機能を備える電子装置としてＴＶ装置４を例示したが、本発明の電子装置は、放送受信機能を備えた携帯電話機やパーソナルコンピュータ等であってもよく、ＴＶ装置に限定されるものではない。
【０１５１】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１５２】
（付記１）  テレビジョン放送を視聴又は記録する機能を備える電子装置であって、
番組情報に付加された視聴者情報を受信する受信部と、
この受信部で受信した前記視聴者情報を表示する表示部と、
を備えることを特徴とする電子装置。
【０１５３】
（付記２）  付記１の電子装置において、
前記表示部に表示される電子番組情報に視聴者から提供された前記視聴者情報を付加して表示する処理をする処理部を備えることを特徴とする電子装置。
【０１５４】
（付記３）  付記１の電子装置において、
前記番組情報に関する視聴者情報を提供するユーザから前記視聴者情報に関係付けられたユーザを選択し、友人情報を生成させる処理部を備えることを特徴とする電子装置。
【０１５５】
（付記４）  付記１の電子装置において、
前記番組情報に付加すべき視聴者情報を送信する送信部を備えることを特徴とする電子装置。
【０１５６】
（付記５）  付記１の電子装置において、
受信した電子番組情報を記憶する電子番組情報記憶部と、
受信した前記視聴者情報を記憶する視聴者情報記憶部と、
を備えることを特徴とする電子装置。
【０１５７】
（付記６）  付記１の電子装置において、
前記視聴者情報は、放送番組の出演者、番組名、番組ジャンル、視聴者のコメント、放送番組に関する視聴者情報を提供したユーザ、ユーザ数の１又は複数を含むことを特徴とする電子装置。
【０１５８】
（付記７）  付記１の電子装置において、
前記視聴者情報は、放送番組の出演者、番組名又は番組ジャンルを特定するタグ情報を含むことを特徴とする電子装置。
【０１５９】
（付記８）  付記１の電子装置において、
前記放送番組に関する視聴者情報を入力する入力部を備えることを特徴とする電子装置。
【０１６０】
（付記９）  テレビジョン放送を視聴又は記録する機能を備える電子装置の情報閲覧方法であって、
番組情報に付加された視聴者情報を受信するステップと、
受信した前記視聴者情報を表示するステップと、
を含むことを特徴とする、電子装置の情報閲覧方法。
【０１６１】
（付記１０）  付記９の電子装置の情報閲覧方法において、
電子番組情報に視聴者から提供された前記視聴者情報を付加して表示するステップを含むことを特徴とする、電子装置の情報閲覧方法。
【０１６２】
（付記１１）  付記９の電子装置の情報閲覧方法において、
前記番組情報に関する視聴者情報を提供するユーザから前記視聴者情報に関係付けられたユーザを選択し、友人情報を生成させるステップを含むことを特徴とする、電子装置の情報閲覧方法。
【０１６３】
（付記１２）  付記９の電子装置の情報閲覧方法において、
前記番組情報に付加すべき視聴者情報を送信するステップを含むことを特徴とする、電子装置の情報閲覧方法。
【０１６４】
（付記１３）  コンピュータによって実行され、テレビジョン放送を視聴又は記録する機能を備える、電子装置の情報閲覧プログラムであって、
番組情報に付加された視聴者情報を受信するステップと、
受信した前記視聴者情報を表示するステップと、
を含むことを特徴とする、電子装置の情報閲覧プログラム。
【０１６５】
（付記１４）  付記１３の電子装置の情報閲覧プログラムにおいて、
電子番組情報に視聴者から提供された前記視聴者情報を付加して表示するステップを含むことを特徴とする、電子装置の情報閲覧プログラム。
【０１６６】
（付記１５）  付記１３の電子装置の情報閲覧プログラムにおいて、
前記番組情報に関する視聴者情報を提供するユーザから前記視聴者情報に関係付けられたユーザを選択し、友人情報を生成させるステップを含むことを特徴とする、電子装置の情報閲覧プログラム。
【０１６７】
（付記１６）  付記１３の電子装置の情報閲覧プログラムにおいて、
前記番組情報に付加すべき視聴者情報を送信するステップを含むことを特徴とする、電子装置の情報閲覧プログラム。
【０１６８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１６９】
本発明は、放送番組を表す番組情報に付された視聴者情報を参照又は視聴者情報の発信が可能であり、放送番組に関する視聴者情報を共有し、放送番組の選択や放送番組に関する有益な情報交換を可能にし、有用である。
【図面の簡単な説明】
【０１７０】
【図１】放送情報の収集・閲覧システムを示す図である。
【図２】ＴＶ装置の構成例を示す図である。
【図３】システム制御部の構成例を示す図である。
【図４】ＳＢＭサーバの構成例を示す図である。
【図５】サーバ制御部の構成例を示す図である。
【図６】ユーザ情報データを示す図である。
【図７】放送チャンネル情報を示す図である。
【図８】ＥＰＧデータテーブルを示す図である。
【図９】録画予約データテーブルを示す図である。
【図１０】ＨＤＤ録画済み番組データテーブルを示す図である。
【図１１】ＳＢＭ番組データテーブルを示す図である。
【図１２】ＳＢＭ視聴者数データテーブルを示す図である。
【図１３】視聴、予約情報のマスタＤＢを示す図である。
【図１４】各用語の説明を示す図である。
【図１５】放送局別番組ＤＢを示す図である。
【図１６】番組別視聴者ＤＢを示す図である。
【図１７】ネット番組ＤＢを示す図である。
【図１８】友人リストＤＢ（自動抽出）を示す図である。
【図１９】友人リストＤＢ（手動登録）を示す図である。
【図２０】ＡＶ系処理の処理手順を示すフローチャートである。
【図２１】視聴送信系処理の処理手順を示すフローチャートである。
【図２２】ＥＰＧ取得処理の処理手順を示すフローチャートである。
【図２３】ユーザ操作処理（録画送信系処理）の処理手順を示すフローチャートである。
【図２４】サーバ送信（録画）の処理手順を示すフローチャートである。
【図２５】視聴送信系処理の処理手順を示すフローチャートである。
【図２６】サーバ送信（視聴）の処理手順を示すフローチャートである。
【図２７】予約情報集積処理の処理手順を示すフローチャートである。
【図２８】類似ユーザ抽出処理の処理手順を示すフローチャートである。
【図２９】視聴者データ更新（サーバ）処理の処理手順を示すフローチャートである。
【図３０】番組別情報提供処理の処理手順を示すフローチャートである。
【図３１】自動ＳＢＭ登録処理の処理のタイミングを示す図である。
【図３２】ＥＰＧ表示中の送信タイミングを示す図である。
【図３３】録画予約中の送信タイミングを示す図である。
【図３４】録画実行中の送信タイミングを示す図である。
【図３５】タグ登録処理の処理手順を示す図である。
【図３６】ブックマーク参照の処理手順を示す図である。
【図３７】詳細情報画面のユーザ操作に基づく動作を示すフローチャートである。
【図３８】番組をシリーズ録画予約する処理手順を示すフローチャートである。
【図３９】番組についてコメントの表示及びその入力を示すフローチャートである。
【図４０】タグがブックマークされている番組の一覧を示すフローチャートである。
【図４１】ＥＰＧ画面を示すフローチャートである。
【図４２】ブックマークしている番組の一覧を示すフローチャートである。
【図４３】ＥＰＧ画面を示す図である。
【図４４】自動録画を示す図である。
【図４５】ブックマーク登録された番組を示す図である。
【図４６】ＥＰＧ画面を示す図である。
【図４７】選択された番組ジャンルに対応する画面を示す図である。
【図４８】ＳＢＭサーバのＳＢＭ登録の受信処理の処理手順を示すフローチャートである。
【図４９】ブックマーク登録処理の処理手順を示すフローチャートである。
【図５０】各地域ＩＤ、チャンネル、放送局名を正規化する処理手順を示すフローチャートである。
【図５１】集計処理の処理手順を示すフローチャートである。
【図５２】ネット番組を検出する処理手順を示すフローチャートである。
【図５３】ネット番組の時差放送を検出する処理手順を示すフローチャートである。
【図５４】シリーズ番組を検出する処理手順を示すフローチャートである。
【図５５】放送局・番組別コメント数・視聴者数集計表を作成する処理手順を示すフローチャートである。
【図５６】ブックマーク登録に追記する処理を示す図である。
【図５７】ＳＢＭサーバのブックマーク参照の応答処理の処理手順を示すフローチャートである。
【図５８】指定範囲内の番組のデータをまとめて送信する処理を示す図である。
【図５９】地域ＩＤ、チャンネル、放送局名を確認し、正規化する処理の処理手順を示すフローチャートである。
【図６０】放送局別番組表を参照する処理の処理手順を示すフローチャートである。
【図６１】各出演者に対する登録数を集計する処理を示す図である。
【図６２】ＳＢＭサーバの友人ブックマーク参照の応答処理の処理手順を示すフローチャートである。
【図６３】ＳＢＭ登録データテーブルを参照する処理を示す図である。
【図６４】ＳＢＭ登録データテーブルを参照する処理を示す図である。
【図６５】番組を特定する情報とユーザＩＤ、タグ・コメントを回答する処理を示す図である。
【符号の説明】
【０１７１】
２  収集・閲覧システム
４  ＴＶ装置（電子装置）
６  ＳＢＭサーバ
４２４  ＥＰＧ受信部
４２６  ＥＰＧメモリ（電子番組情報記憶部）
４３０  ＳＢＭ受信部
４３２  ＳＢＭメモリ（視聴者情報記憶部）
４１２  表示部
４４０  システム制御部
【図１】
2007274604.tif 000003
【図２】
2007274604.tif 000004
【図３】
2007274604.tif 000005
【図４】
2007274604.tif 000006
【図５】
2007274604.tif 000007
【図６】
2007274604.tif 000008
【図７】
2007274604.tif 000009
【図８】
2007274604.tif 000010
【図９】
2007274604.tif 000011
【図１０】
2007274604.tif 000012
【図１１】
2007274604.tif 000013
【図１２】
2007274604.tif 000014
【図１３】
2007274604.tif 000015
【図１４】
2007274604.tif 000016
【図１５】
2007274604.tif 000017
【図１６】
2007274604.tif 000018
【図１７】
2007274604.tif 000019
【図１８】
2007274604.tif 000020
【図１９】
2007274604.tif 000021
【図２０】
2007274604.tif 000022
【図２１】
2007274604.tif 000023
【図２２】
2007274604.tif 000024
【図２３】
2007274604.tif 000025
【図２４】
2007274604.tif 000026
【図２５】
2007274604.tif 000027
【図２６】
2007274604.tif 000028
【図２７】
2007274604.tif 000029
【図２８】
2007274604.tif 000030
【図２９】
2007274604.tif 000031
【図３０】
2007274604.tif 000032
【図３１】
2007274604.tif 000033
【図３２】
2007274604.tif 000034
【図３３】
2007274604.tif 000035
【図３４】
2007274604.tif 000036
【図３５】
2007274604.tif 000037
【図３６】
2007274604.tif 000038
【図３７】
2007274604.tif 000039
【図３８】
2007274604.tif 000040
【図３９】
2007274604.tif 000041
【図４０】
2007274604.tif 000042
【図４１】
2007274604.tif 000043
【図４２】
2007274604.tif 000044
【図４３】
2007274604.tif 000045
【図４４】
2007274604.tif 000046
【図４５】
2007274604.tif 000047
【図４６】
2007274604.tif 000048
【図４７】
2007274604.tif 000049
【図４８】
2007274604.tif 000050
【図４９】
2007274604.tif 000051
【図５０】
2007274604.tif 000052
【図５１】
2007274604.tif 000053
【図５２】
2007274604.tif 000054
【図５３】
2007274604.tif 000055
【図５４】
2007274604.tif 000056
【図５５】
2007274604.tif 000057
【図５６】
2007274604.tif 000058
【図５７】
2007274604.tif 000059
【図５８】
2007274604.tif 000060
【図５９】
2007274604.tif 000061
【図６０】
2007274604.tif 000062
【図６１】
2007274604.tif 000063
【図６２】
2007274604.tif 000064
【図６３】
2007274604.tif 000065
【図６４】
2007274604.tif 000066
【図６５】
2007274604.tif 000067
【手続補正書】
【提出日】平成18年7月27日(2006.7.27)
【手続補正１】
【補正対象書類名】明細書
【補正対象項目名】００４０
【補正方法】変更
【補正の内容】
【００４０】
このシステム制御部４４０は、リモコン装置４３８と通信し、ＥＰＧメモリ４２６の書込みや読出し、ＳＢＭメモリ４３２の書込みや読出し、ＡＶ制御部４１８、音声処理部４１６及び映像処理部４１２等の制御を実行し、斯かる制御により、映像モニタ４１３の表示画面に表示されるＥＰＧ画像上にブックマークやタグ等を表示させる。
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
テレビジョン放送を視聴又は記録する機能を備える電子装置であって、
番組情報と、該番組情報に関連する視聴者情報とを受信する受信部と、
この受信部で受信した前記視聴者情報を表示する表示部と、
を備えることを特徴とする電子装置。
【請求項２】
請求項１の電子装置において、
前記表示部に表示される電子番組情報に視聴者から提供された前記視聴者情報を付加して表示する処理をする処理部を備えることを特徴とする電子装置。
【請求項３】
請求項１の電子装置において、
前記番組情報に関する視聴者情報を提供するユーザから前記視聴者情報に関係付けられたユーザを選択し、友人情報を生成させる処理部を備えることを特徴とする電子装置。
【請求項４】
請求項１の電子装置において、
前記番組情報に付加すべき視聴者情報を送信する送信部を備えることを特徴とする電子装置。
【請求項５】
請求項１の電子装置において、
受信した電子番組情報を記憶する電子番組情報記憶部と、
受信した前記視聴者情報を記憶する視聴者情報記憶部と、
を備えることを特徴とする電子装置。
【請求項６】
請求項１の電子装置において、
前記視聴者情報は、放送番組の出演者、番組名、番組ジャンル、視聴者のコメント、放送番組に関する視聴者情報を提供したユーザ、ユーザ数の１又は複数を含むことを特徴とする電子装置。
【請求項７】
請求項１の電子装置において、
前記視聴者情報は、放送番組の出演者、番組名又は番組ジャンルを特定するタグ情報を含むことを特徴とする電子装置。
【請求項８】
テレビジョン放送を視聴又は記録する機能を備える電子装置の情報閲覧方法であって、
番組情報と、該番組情報に関連する視聴者情報とを受信するステップと、
受信した前記視聴者情報を表示するステップと、
を含むことを特徴とする、電子装置の情報閲覧方法。
【請求項９】
請求項８の電子装置の情報閲覧方法において、
電子番組情報に視聴者から提供された前記視聴者情報を付加して表示するステップを含むことを特徴とする、電子装置の情報閲覧方法。
【請求項１０】
コンピュータによって実行され、テレビジョン放送を視聴又は記録する機能を備える、電子装置の情報閲覧プログラムであって、
番組情報と、該番組情報に関連する視聴者情報とを受信するステップと、
受信した前記視聴者情報を表示するステップと、
を含むことを特徴とする、電子装置の情報閲覧プログラム。
【手続補正２】
【補正対象書類名】明細書
【補正対象項目名】００１２
【補正方法】変更
【補正の内容】
【００１２】
上記目的を達成するため、本発明の第１の側面は、テレビジョン放送を視聴又は記録する機能を備える電子装置であって、番組情報と、該番組情報に関連する視聴者情報とを受信する受信部と、この受信部で受信した前記視聴者情報を表示する表示部とを備える構成である。斯かる構成によれば、番組情報に付加された視聴者情報を受信部で受信し、この受信部で得られた視聴者情報とともに番組情報を表示部に表示することができる。この結果、視聴間で視聴者情報の共有化が図られるとともに、視聴者情報を参照して放送番組の選択が可能になり、その選択の容易化や最適化が図られる。
【手続補正３】
【補正対象書類名】明細書
【補正対象項目名】００１９
【補正方法】変更
【補正の内容】
【００１９】
上記目的を達成するため、本発明の第２の側面は、テレビジョン放送を視聴又は記録する機能を備える電子装置の情報閲覧方法であって、番組情報と、該番組情報に関連する視聴者情報とを受信するステップと、受信した前記視聴者情報を表示するステップとを含む構成である。斯かる構成によっても、上記目的が達成される。
【手続補正４】
【補正対象書類名】明細書
【補正対象項目名】００２１
【補正方法】変更
【補正の内容】
【００２１】
上記目的を達成するための、本発明の第３の側面は、コンピュータによって実行され、テレビジョン放送を視聴又は記録する機能を備える、電子装置の情報閲覧プログラムであって、番組情報と、該番組情報に関連する視聴者情報とを受信するステップと、受信した前記視聴者情報を表示するステップとを含む構成である。斯かる構成によっても、上記目的が達成される。